【手続補正書】
【提出日】平成20年9月11日(2008.9.11)
【手続補正１】
【補正対象書類名】特許請求の範囲
【補正対象項目名】全文
【補正方法】変更
【補正の内容】
【特許請求の範囲】
【請求項１】
撮影された画像データ、該画像データに付加された撮影日時を含むメタデータ、該画像データの撮影場所の位置情報、及び地図データを取得する手段と、
前記画像データの撮影日時と前記位置情報とに基づいて、前記画像データを前記地図データに関連付けることにより、前記画像データを前記地図データ上に表示してコンテンツを生成する手段とを有することを特徴とするコンテンツ生成装置。
【請求項２】
請求項１に記載のコンテンツ生成装置に対して、前記位置情報を提供することを特徴とするＧＰＳ機器。
【請求項３】
請求項１に記載のコンテンツ生成装置に対して、前記画像データ及び前記メタデータを提供することを特徴とするデジタルカメラ。
【請求項４】
撮影された画像データ、該画像データに付加された撮影日時を含むメタデータ、該画像データの撮影場所の位置情報、及び地図データを取得するステップと、
前記画像データの撮影日時と前記位置情報とに基づいて、前記画像データを前記地図データに関連付けることにより、前記画像データを前記地図データ上に表示してコンテンツを生成するステップとを有することを特徴とするコンテンツ生成方法。
【手続補正２】
【補正対象書類名】明細書
【補正対象項目名】発明の名称
【補正方法】変更
【補正の内容】
【発明の名称】コンテンツ生成装置、ＧＰＳ機器、デジタルカメラ、及びコンテンツ生成方法
【手続補正３】
【補正対象書類名】明細書
【補正対象項目名】０００１
【補正方法】変更
【補正の内容】
【０００１】
本発明は、コンテンツ生成装置、ＧＰＳ機器、デジタルカメラ、及びコンテンツ生成方法、より詳細には、ユーザの利用目的に応じてコンテンツを生成するコンテンツ生成装置、ＧＰＳ機器、デジタルカメラ、及びコンテンツ生成方法に関する。
【手続補正４】
【補正対象書類名】明細書
【補正対象項目名】０００５
【補正方法】変更
【補正の内容】
【０００５】
本発明は、上述のごとき実情に鑑みてなされたものであり、コンテンツの利用目的に応じた所望のコンテンツを生成できるようにすること、を目的としてなされたものである。
【手続補正５】
【補正対象書類名】明細書
【補正対象項目名】０００６
【補正方法】変更
【補正の内容】
【０００６】
上記課題を解決するために、本発明の第１の技術手段は、撮影された画像データ、該画像データに付加された撮影日時を含むメタデータ、該画像データの撮影場所の位置情報、及び地図データを取得する手段と、前記画像データの撮影日時と前記位置情報とに基づいて、前記画像データを前記地図データに関連付けることにより、前記画像データを前記地図データ上に表示してコンテンツを生成する手段とを有することを特徴としたものである。
【手続補正６】
【補正対象書類名】明細書
【補正対象項目名】０００７
【補正方法】変更
【補正の内容】
【０００７】
第２の技術手段は、第１の技術手段におけるコンテンツ生成装置に対して、前記位置情報を提供することを特徴としたものである。
【手続補正７】
【補正対象書類名】明細書
【補正対象項目名】０００８
【補正方法】変更
【補正の内容】
【０００８】
第３の技術手段は、第１の技術手段におけるコンテンツ生成装置に対して、前記画像データ及び前記メタデータを提供することを特徴としたものである。
【手続補正８】
【補正対象書類名】明細書
【補正対象項目名】０００９
【補正方法】変更
【補正の内容】
【０００９】
第４の技術手段は、撮影された画像データ、該画像データに付加された撮影日時を含むメタデータ、該画像データの撮影場所の位置情報、及び地図データを取得するステップと、前記画像データの撮影日時と前記位置情報とに基づいて、前記画像データを前記地図データに関連付けることにより、前記画像データを前記地図データ上に表示してコンテンツを生成するステップとを有することを特徴としたものである。
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】変更
【補正の内容】
【００１５】
本発明によれば、コンテンツの利用目的に応じて、各種データを取得することにより、所望のコンテンツを生成することができる。
【手続補正１５】
【補正対象書類名】明細書
【補正対象項目名】００１６
【補正方法】変更
【補正の内容】
【００１６】
図１は、本発明の一実施形態であるデータ生成装置の構成例を示すブロック図で、図中、１０はデータ生成装置で、該データ生成装置１０は、コンテンツ生成装置に相当し、利用可能なリソース１１、リソース判定部１２、利用目的選択部１３、利用目的情報１４、データ抽出／生成部１５、記憶部１６、コンテンツ生成部１７を備えている。データ生成装置１０は、利用目的に応じたコンテンツ２を作成するために、コンテンツ作成用データを生成する。このコンテンツ作成用データとは、利用目的に応じたコンテンツ２を作成するためにコンテンツ２の内容（属性）や、コンテンツ２を構成するデータ（地図データなど）を関連付けしたデータであって、利用目的情報１４に含まれる利用目的（利用目的Ａ，Ｂ，…）毎に異なる。尚、以下の実施形態において、データ生成装置１０をデジタルカメラ付き携帯端末（例えば、デジタルカメラ機能を備えた携帯電話機、デジタルカメラ、デジタルビデオカメラなど）に適用した場合を代表例として説明するが、データ生成装置１０は、上記デジタルカメラ付き携帯端末に限らず、例えば、モバイル型デジタル放送受信機や、モバイル型ＨＤＤレコーダなどのデータ記録可能な携帯端末に適用することができる。
【手続補正１６】
【補正対象書類名】明細書
【補正対象項目名】００２６
【補正方法】変更
【補正の内容】
【００２６】
図２は、本発明が適用されるデータ生成方法の一例を説明するためのフロー図である。尚、本例のデータ生成方法は、コンテンツ生成方法に相当し、図１に示したデータ生成装置１０に基づいて説明するものとする。尚、記憶部１６には、コンテンツ作成用データの生成に必要なデータの種類をコンテンツの利用目的に対応付けした利用目的情報１４が記憶されている。まず、データ生成装置１０のリソース判定部１２は、利用可能なリソース１１を判定し、利用可能と判定したリソースから抽出できるデータの種類を特定し（ステップＳ１）、利用目的選択部１３は、特定されたデータの種類に応じた利用目的を利用目的情報１４（記憶部１６）から選択する（ステップＳ２）。例えば、利用目的Ａの“旅行アルバム”が選択される。
【手続補正１７】
【補正対象書類名】明細書
【補正対象項目名】００２８
【補正方法】変更
【補正の内容】
【００２８】
図３は、本発明のデータ生成装置１０によるコンテンツ作成用データ生成処理の一例を説明するための図で、図中、２１〜２３はコンテンツ作成用データ、２４は合成コンテンツを示す。この合成コンテンツ２４はコンテンツデータ２５及び関連情報２６から構成されている。尚、本例では、データ生成装置１０を、ＧＰＳ機器に相当するＧＰＳ内蔵デジタルカメラ付き携帯電話機（携帯電話機１０）とし、利用目的が“旅行アルバム”の場合の一例について説明する。
【手続補正１８】
【補正対象書類名】明細書
【補正対象項目名】００３７
【補正方法】変更
【補正の内容】
【００３７】
尚、本発明のコンテンツ生成装置及び方法は、上記した各実施の形態に限定されるものではなく、本発明の要旨を逸脱しない範囲内において種々変更を加え得ることは勿論である。